(57)【特許請求の範囲】
【請求項１】
建物であって、
地中に形成された複数の基礎梁と、
前記基礎梁に連なる複数の跳ね出し基礎梁と、
建物本体であって前記基礎梁上に配置され該基礎梁及び前記建物本体の下方領域から前記建物本体の周囲に伸びる前記跳ね出し基礎梁に支持された骨組構造を有する建物本体と、
前記建物本体の周囲に配置されかつ前記跳ね出し基礎梁に支持された、津波に対する防波機能及び津波荷重を受けたときに該津波荷重の一部を鉛直下方に向ける機能を有する傾斜板を備える１又は複数の架構とを含む、建物。
【請求項２】
さらに、前記跳ね出し基礎梁上に形成された１又は複数の跳ね出しスラブを含み、前記架構は前記スラブ上に配置されている、請求項１に記載の建物。
【請求項３】
前記傾斜板は光透過性を有する、請求項１又は２に記載の建物。
【発明の詳細な説明】
【技術分野】
【０００１】
本発明は、津波の襲来を受けた場合における浮き上がりの抑止対策が施された建物に関する。
【背景技術】
【０００２】
従来、地震荷重を発生原因とする建物の浮き上がりの抑止対策についての提案、すなわち建物に跳ね出しスラブを設けるという提案がなされている（特許文献１参照）。これに対し、津波荷重を発生原因とする建物の浮き上がりの抑止対策については、これまでのところ、提案されていない。
【先行技術文献】
【特許文献】
【０００３】
【特許文献１】特開平１１−３３６１０１号公報
【発明の概要】
【発明が解決しようとする課題】
【０００４】
本発明は、津波荷重による浮き上がりの抑止対策が施された建物を提供することを目的とする。
【課題を解決するための手段】
【０００５】
本発明に係る建物は、複数の基礎梁と、該基礎梁に連なる複数の跳ね出し基礎梁と、前記基礎梁上に配置され該基礎梁及び前記跳ね出し基礎梁に支持された骨組構造を有する建物本体とを含む。
【０００６】
本発明によれば、前記跳ね出し基礎梁は、これらが前記建物本体の下方から該建物本体の周囲に向けて伸びていることから、前記建物本体が津波荷重を受けたときに該津波荷重に対抗し前記建物本体の浮き上がりを抑止する作用をなす。
【０００７】
本発明に係る前記建物は、さらに、前記跳ね出し基礎梁上に形成された１又は複数の跳ね出しスラブを含むものとすることができる。前記跳ね出しスラブは前記跳ね出し基礎梁の重量及び表面積を実質的に増大し、これらが前記跳ね出し基礎梁による前記建物本体の浮き上がり抑止作用の強化に寄与する。
【０００８】
本発明に係る建物は、さらに、前記建物本体の周囲に配置されかつ前記跳ね出し基礎梁又は前記跳ね出しスラブに支持された、津波に対する防波機能を有する傾斜板を備える１又は複数の架構を含む。
【０００９】
前記建物本体の周囲に配置された架構の傾斜板は、該架構が前記建物本体の周りを途切れなく取り囲む連続した１つのものからなる場合又は前記建物本体の周りを間欠的に取り囲む複数のものからなる場合があるところ、いずれの場合においても、津波に対する前記建物本体のための防波堤の役目を果たす。
【００１０】
前記架構の傾斜板は、さらに、これが津波荷重を受けたときに該津波荷重の一部を鉛直下方に向ける機能を有する。
【００１１】
これによれば、前記架構を支持する跳ね出し基礎梁又は跳ね出しスラブは、前記傾斜板からの鉛直下方に向けられた荷重の伝達を受けて、前記建物本体に対してその浮き上がりをより強固に抑止する働きをなす。
【００１２】
また、前記架構の傾斜板はこれが光透過性を有するものとすることができる。これによれば、前記傾斜板を通して陽光を前記建物本体に導くことができる。したがって、前記建物本体の周囲に傾斜板を設置することによって生じる可能性がある前記建物本体に対する採光障害をなくし又はこれを緩和することができる。
【図面の簡単な説明】
【００１３】
【図１】本発明に係る建物の概略的な縦断面図である。
【図２】図１に示す建物の概略的な横断面図である。
【図３】他の例に係る建物の概略的な横断面図である。
【図４】架構を異にする建物の概略的な縦断面図である。
【図５】さらに、架構を異にする建物の概略的な縦断面図である。
【図６】さらに、架構を異にする建物の概略的な縦断面図である。
【発明を実施するための形態】
【００１４】
図１及び図２を参照すると、本発明に係る一実施形態に係る、津波による浮き上がりの抑止対策が施された建物が全体に符号１０で示されている。
【００１５】
建物１０は鉄筋コンクリート造、鉄骨鉄筋コンクリート造又は鉄骨造のそれからなる。図示の建物１０は、地中に形成され地中を縦横に伸びる複数の基礎梁１１と、各基礎梁１１の両端に連なる跳ね出し基礎梁１２と、基礎梁１１上に配置され該基礎梁と跳ね出し基礎梁１２とに支持された、全体に矩形の平面形状を有する建物本体１４とを備える。
【００１６】
建物本体１４は骨組構造１６と該骨組構造の周囲を覆う外壁１８（図２）とを含む。建物本体１４を構成する骨組構造１６は、縦横に伸びる基礎梁１１相互の各交差部から上方へ伸びる柱２０と、互いに隣接する一対の柱２０を地上において相互に連結する大梁２２とを含む。
【００１７】
建物本体１４の下方領域から該建物本体の周囲に伸びる跳ね出し基礎梁１２は、建物本体１４が津波荷重を受けたときに該津波荷重に対抗して建物本体１４が浮き上がることを抑止する作用をなす。
【００１８】
建物１０は、好ましくは、建物本体１４の周囲に複数（図示の例では４つ）の跳ね出しスラブ２４を備える。各跳ね出しスラブ２４は、複数の跳ね出し基礎梁１２が規定する平面上にこれらを覆うように形成され、また、建物１０の一階の居室の床を規定する床スラブ２５（図１）に連なっている。建物本体１４の周囲の４つの跳ね出しスラブ２４はそれぞれ細長い矩形の平面形状を有し、建物本体１４の平面形状である矩形の四辺に沿ってそれぞれ伸びている。
【００１９】
各跳ね出しスラブ２４は、跳ね出し基礎梁１２の重量及び表面積を実質的に増大し、このため、跳ね出し基礎梁１２が有する建物本体１４についての前記浮き上がり阻止能力を高める作用をなす。
【００２０】
図２に示す例では、これらの４つの跳ね出しスラブ２４は、前記矩形の出角において互いに不連続とされているが、この例に代えて、４つの跳ね出しスラブ２４が前記矩形の出角において互いに連続するもの、すなわち１つの環状の跳ね出しスラブとすることができる。
【００２１】
また、図２に示す例、すなわち前記矩形の各辺に沿って１つの跳ね出しスラブ２４を設けることに代えて、図３に示すように、前記矩形の各辺に沿って互いに間隔をおかれた複数（図示の例では２つ）の跳ね出しスラブ２４を設けることができる。この例では、２つの跳ね出しスラブ２４はそれぞれ前記矩形の２つの出角の近傍に設けられている。図３に示す各跳ね出しスラブ２４は、図２に示す各跳ね出しスラブ部２４より小面積である矩形の平面形状を有する。また、図３に示す例では、複数の基礎梁１１のうちの一つ（図上を横方向へ伸びる中央の一つ）の両端に跳ね出し基礎梁の連なりがない。
【００２２】
図２及び図３に示すように、建物１０は、さらに、建物本体１４の周囲にこれを取り囲むように配置され建物本体１４に対向する複数の架構２６を含む。各架構２６は、各跳ね出しスラブ２４上に配置されかつ支持されている。各架構２６は、後述するように、津波に対する建物本体１４のための防波機能を有し、また、跳ね出し基礎梁１２又は跳ね出し基礎梁１２及び跳ね出しスラブ２４の双方が有する、建物本体１４の浮き上がり抑止機能を高める作用をなす。架構２６のこのような機能、作用を確保するため、架構２６には、後述する補強により、これが受ける津波加重及び地震荷重を想定し、これらの想定荷重によって破壊しない構造強度が付与されている。
【００２３】
複数の架構２６は、これらがそれぞれ配置された複数の跳ね出しスラブ２４が前記したように建物本体１４の周囲において不連続であることから、建物本体１４の周りに間欠的に配置されている。複数の架構２６とすることに代えて、建物本体１４の周囲を途切れなく取り囲む連続した１つの環状の架構（図示せず）とすることができる。この１つの架構を支持するための前記跳ね出しスラブは、建物本体１４の周りに不連続であるもの及び連続したもののいずれでもよい。
【００２４】
架構２６は、跳ね出しスラブ２４が設けられないときは、複数の跳ね出し基礎梁１２上に直接配置し、該跳ね出し基礎梁上に支持することができる。
【００２５】
図１を参照すると、架構２６は傾斜板２８を有する。傾斜板２８は、跳ね出しスラブ２４から上方に向けて次第に建物本体１４に近接するように伸び、跳ね出しスラブ２４と、骨組構造１６の一部をなす支持部材３０とにより支持されている。
【００２６】
また、架構２６の傾斜板２８は、該傾斜板に到達する津波に対してこれを跳ね返す作用をなす（防波機能）。傾斜板２８は、また、これに作用する津波荷重のうちの水平方向成分を鉛直方向下方に向かう荷重に変換する作用をなす（浮き上がり抑止機能）。
【００２７】
架構２６の傾斜板２８によって前記鉛直方向下方に向けられた荷重（鉛直加重）は、架構２６を経て、跳ね出しスラブ２４及び跳ね出し基礎梁１２に伝達される。その結果、跳ね出しスラブ２４及び跳ね出し基礎梁１２の前記建物本体１４に対する浮き上がり抑止機能がより向上される。
【００２８】
ところで、架構２６の傾斜板２８の高さ寸法は、想定される津波の規模に応じて、例えば図４に示すように比較的低いもの、あるいは、図１、図５及び図６に示すように、建物本体１４の高さよりわずかに低いものに設定することができる。比較的高い高さ寸法を有する後者の例においては、傾斜板２８による建物本体１４に対する採光障害が生じないように、傾斜板２８を光透過性を有するもの、例えばアクリル板で構成することができる。
【００２９】
図４に示す架構２６にあっては、骨組構造１６に支持された、津波ｔを受け止めるための傾斜板２８がさらに複数の控え部材３４によって支持されている。
【００３０】
また、図５に示す架構２６にあっては、津波を受け止めるための傾斜板２８が、図１に示す例では湾曲板からなるのに対して、平板からなる。また、図１に示す例では、傾斜板２８に対する支持が、複数の横材３６と、これらの横材３６間で傾斜板２８と支持部材３０とを相互に接続する複数の斜材３８とにより、補強されている。このような補強態様に代えて、傾斜板２８のための支持補強材を、図５に示すように、複数の横材３６と、傾斜板２８と跳ね出しスラブ２４とを相互に接続する複数の縦材４０とすることができる。
【００３１】
図６を参照すると、この架構２６を構成する傾斜板２８が、図１に示す架構２６の傾斜板２８とは反対に、建物本体１４の周囲に対して凸状を呈する湾曲板により構成されている。この例の架構における傾斜板２８の補強態様は、図１に示す例における同様、複数の横材３６と複数の斜材３８とにより構成されている。また、図６に示す架構２６の例にあっては、図１及び図５の架構２６の例と異なり、建物本体１４と支持部材３０との間に間隙４２が設けられ、間隙４２に複数の耐震用又は制震用のダンパー４４が鉛直方向に互いに間隔をおいて配置されている。各ダンパー４４はその両端が骨組構造１６と支持部材３０とにそれぞれ固定されており、地震があったとき、その両端の間隔が広がり又は狭くなるように作動し、これにより建物本体１４及び架構２６に作用する地震荷重を吸収する作用をなす。
【００３２】
図１、図５及び図６に示す架構２６は、例えば居室としての用に供しうる空間を規定するように構成することができる。
【符号の説明】
【００３３】
１０  建物
１２  跳ね出し基礎梁
１４  建物本体
１６  骨組構造
１８  外壁
２４  跳ね出しスラブ
２６  架構
２８  傾斜板
【図１】
0005956802.tif 000002
【図２】
0005956802.tif 000003
【図３】
0005956802.tif 000004
【図４】
0005956802.tif 000005
【図５】
0005956802.tif 000006
【図６】
0005956802.tif 000007